(57)【特許請求の範囲】
【請求項１】
建物の天井の下方に立設される区画体によって区画される、隣接する空間の間で、配線・配管材を案内する案内部材であって、
前記天井を構成するコンクリート体に埋設され、かつ、
前記天井の下方に開口する１つの開口が前記区画体によって区画されて前記空間のそれぞれに開口する、各開口部を有するとともに、その各開口部を通るようにして前記配線・配管材が収容される、配線・配管通路を備えることを特徴とする、配線・配管材の案内部材。
【請求項２】
請求項１に記載の、配線・配管材の案内部材において、前記天井は、二重天井における、上側の天井であることを特徴とする、配線・配管材の案内部材。
【請求項３】
請求項１または２に記載の、配線・配管材の案内部材において、
前記配線・配管材を前記配線・配管通路内に保持するための保持手段を備えることを特徴とする、配線・配管材の案内部材。
【請求項４】
請求項３に記載の、配線・配管材の案内部材において、
前記保持手段は、前記配線・配管材を、結び止めることができる線状材からなることを特徴とする、配線・配管材の案内部材。
【請求項５】
建物の天井を構成するコンクリート体と、
前記天井の下方に立設される区画体と、
前記区画体によって区画される隣接する空間の間で、配線・配管材を案内する案内部材とからなり、
前記案内部材は、前記コンクリート体に埋設され、かつ、
前記案内部材は、前記天井の下方に開口する１つの開口が前記区画体によって区画されて前記空間のそれぞれに開口する、各開口部を有するとともに、その各開口部を通るようにして前記配線・配管材が収容される、配線・配管通路を備えることを特徴とする、配線・配管材の案内構造。
【請求項６】
建物の天井の下方に立設される区画体によって区画される、隣接する空間の間で、配線・配管材を案内する案内方法であって、
前記天井に窪むようにして形成された配線・配管通路の、前記天井の下方に開口する１つの開口に備わる、前記空間のそれぞれに開口する各開口部を隔てるように、前記天井の下方に、前記区画体を立設し、
その後、前記配線・配管通路に、前記各開口部を通るようにして前記配線・配管材を収容することを特徴とする、配線・配管材の案内方法。
【請求項７】
建物の天井の下方に立設される区画体によって区画される、隣接する空間の間で、配線・配管材を案内する案内方法であって、
前記天井に窪むようにして形成された配線・配管通路に、その配線・配管通路の、前記天井の下方に開口する１つの開口に備わる、前記空間のそれぞれに開口する各開口部を通るようにして前記配線・配管材を収容し、
その後、前記各開口部を隔てるように、前記天井の下方に、前記区画体を立設することを特徴とする、配線・配管材の案内方法。
【発明の詳細な説明】
【０００１】
【発明の属する技術分野】
この発明は、建物の天井の下方に立設される間仕切壁等の区画体によって区画される、隣接する空間の間で、配線・配管材を案内する、案内部材、案内構造および案内方法に関するものである。
【０００２】
【従来の技術および発明が解決しようとする課題】
従来、例えば、コンクリート製の建物の天井に沿って配線する場合に、その配線材を、天井を構成するコンクリート体内に、埋め込み配線していた。しかし、この配線材の埋め込み作業は、非常に手間であり、通線が面倒であった。また、天井厚が薄い場合には、配線材を埋め込むと天井の強度が弱くなるという問題があった。
【０００３】
そこで、埋め込み配線をすることなく、天井面の下方を配線する方法が採られることがあった。しかし、この場合には、配線の途中に、障害物となる、区画体としての間仕切壁などがあると、その間仕切壁に、配線材を通すための貫通孔を設ける必要があり、その作業が非常に面倒であった。
【０００４】
この発明は、上記した従来の問題点を解決するためになされたものであり、その目的とするところは、区画体に貫通孔を明けることなく、配線・配管材を配設することができる、配線・配管材の、案内部材、案内構造および案内方法を提供することにある。
【０００５】
【課題を解決するための手段】
この発明に係る配線・配管材の、案内部材、案内構造および案内方法は、前記目的を達成するために、次の構成からなる。すなわち、
請求項１に記載の発明に係る配線・配管材の案内部材は、建物の天井の下方に立設される区画体によって区画される、隣接する空間の間で、配線・配管材を案内する案内部材である。この案内部材は、前記天井を構成するコンクリート体に埋設される。そして、この案内部材は、前記天井の下方に開口する１つの開口が前記区画体によって区画されて前記空間のそれぞれに開口する、各開口部を有するとともに、その各開口部を通るようにして前記配線・配管材が収容される、配線・配管通路を備える。
【０００６】
こうして、建物の天井を構成するコンクリート体に埋設される案内部材の配線・配管通路の各開口部は、区画体によって区画される隣接する空間に開口している。したがって、配線・配管材が、配線・配管通路の各開口部を通るようにして、その配線・配管通路に収容されることで、この配線・配管材は、区画体によって区画される隣接する空間に渡って配設される。
【０００７】
また、請求項２に記載の発明に係る配線・配管材の案内部材のように、前記天井は、二重天井における、上側の天井であってもよい。
【０００８】
また、請求項３に記載の発明に係る配線・配管材の案内部材のように、加えて、前記配線・配管材を前記配線・配管通路内に保持するための保持手段を備えてもよい。これにより、例えば、この案内部材の配線・配管通路に配線・配管材を収容した後に、区画体を立設する場合に、その区画体を立設する前に、配線・配管材を保持手段によって配線・配管通路内に保持することができる。こうすることで、区画体を立設する際に、配線・配管材が邪魔になることがない。
【０００９】
また、請求項４に記載の発明に係る配線・配管材の案内部材のように、前記保持手段は、前記配線・配管材を、結び止めることができる線状材からなっていてもよい。
【００１０】
また、請求項５に記載の発明に係る配線・配管材の案内構造は、建物の天井を構成するコンクリート体と、前記天井の下方に立設される区画体と、前記区画体によって区画される隣接する空間の間で、配線・配管材を案内する案内部材とからなる。ここで、前記案内部材は、前記コンクリート体に埋設される。そして、この案内部材は、前記天井の下方に開口する１つの開口が前記区画体によって区画されて前記空間のそれぞれに開口する、各開口部を有するとともに、その各開口部を通るようにして前記配線・配管材が収容される、配線・配管通路を備える。
【００１１】
こうして、建物の天井を構成するコンクリート体に埋設される案内部材の配線・配管通路の各開口部は、区画体によって区画される隣接する空間に開口している。したがって、配線・配管材が、配線・配管通路の各開口部を通るようにして、その配線・配管通路に収容されることで、この配線・配管材は、区画体によって区画される隣接する空間に渡って配設される。
【００１２】
また、請求項６に記載の発明に係る配線・配管材の案内方法は、建物の天井の下方に立設される区画体によって区画される、隣接する空間の間で、配線・配管材を案内する案内方法であって、初めに、前記天井に窪むようにして形成された配線・配管通路の、前記天井の下方に開口する１つの開口に備わる、前記空間のそれぞれに開口する各開口部を隔てるように、前記天井の下方に、前記区画体を立設する。その後、前記配線・配管通路に、前記各開口部を通るようにして前記配線・配管材を収容する。
【００１３】
こうして、建物の天井に窪むようにして形成された配線・配管通路の各開口部を隔てるように、区画体を立設し、その後、配線・配管通路に、各開口部を通るようにして配線・配管材を収容することで、配線・配管材は、区画体によって区画される隣接する空間に渡って配設される。
【００１４】
また、請求項７に記載の発明に係る配線・配管材の案内方法は、建物の天井の下方に立設される区画体によって区画される、隣接する空間の間で、配線・配管材を案内する案内方法であって、初めに、前記天井に窪むようにして形成された配線・配管通路に、その配線・配管通路の、前記天井の下方に開口する１つの開口に備わる、前記空間のそれぞれに開口する各開口部を通るようにして前記配線・配管材を収容する。その後、前記各開口部を隔てるように、前記天井の下方に、前記区画体を立設する。
【００１５】
こうして、建物の天井に窪むようにして形成された配線・配管通路に、配線・配管材を収容し、その後、配線・配管通路の各開口部を隔てるように、区画体を立設することで、配線・配管材は、区画体によって区画される隣接する空間に渡って配設される。
【００１６】
【発明の実施の形態】
以下、この発明に係る配線・配管材の、案内部材、案内構造および案内方法の実施の形態を図面に基づいて説明する。
【００１７】
図１ないし図７は、本発明に係る配線・配管材の、案内部材、案内構造および案内方法の一実施の形態を示す。図中符号１は、建物の天井としての、二重天井における上側の天井であり、例えば、上階のスラブに相当する。２は、二重天井における下側の天井である。３は、上側の天井１の下方に立設される、区画体としての間仕切壁である。４は、配線・配管材としての、電力線、信号線等の配線材である。５は、案内部材であり、間仕切壁３によって区画される、隣接する空間Ｓ、Ｓの間で、配線材４を案内するものであって、天井１を構成するコンクリート体１ａに埋設される。６は、案内構造であり、前記コンクリート体１ａと、前記間仕切壁３と、前記案内部材５とからなる。
【００１８】
案内部材５は、図１に示すように、前記隣接する空間Ｓ、Ｓに開口する各開口部５ａ、５ａを有するとともに、その各開口部５ａ、５ａを通るようにして配線材４が収容される、配線・配管通路としての配線通路５ｂを備える。具体的には、案内部材５は、図２および図３に示すように、平面視が、左右に長手となる略長方形に形成されており、上方に向かって突出するとともに下方に開口する殻部５ｃと、その殻部５ｃの周囲の鍔部５ｄとからなっている。そして、殻部５ｃの内側が、前記配線通路５ｂとなり、また、その配線通路５ｂが下方に開口することで、その左側部分および右側部分が、前記隣接する空間Ｓ、Ｓに開口する前記各開口部５ａ、５ａとなっている。ここで、案内部材５は、その全長が、例えば３００ｍｍ程度であるが、これに対して、間仕切壁３の壁厚は、一般的に、６０〜７０ｍｍであり、最大でも１００ｍｍ  程度である。したがって、案内部材５の前記開口部５ａの長さは、１００ｍｍ以上となる。このように、この案内部材５は、開口部５ａの長さが十分にとれるように、間仕切壁３の壁厚に対して十分長く設定されている。
【００１９】
また、案内部材５は、配線材４を配線通路５ｂ内に保持するための保持手段Ｈを備えている。この保持手段Ｈは、配線材４を、例えば、結び止めることができる、針金、紐、帯等の線状材５ｅからなり、この線状材５ｅは、殻部５ｃの内側であって、長手方向の一方寄り（左寄り）および他方寄り（右寄り）の位置に止められて、下方つまり配線通路５ｂ内に垂れ下がっている。さらに、案内部材５は、線状材５ｅに近接して抜止め部５ｆ、そして長手方向の各端部付近に抜止め部Ｘを備えている。これら抜止め部５ｆ、Ｘは、案内部材５がコンクリート体１ａから抜け落ちるのを防止するためのものである。ここで、抜止め部５ｆは、殻部５ｃの、線状材５ｅが止められた部分を挟む両側の位置から各々上方に延びて鉤状に折れ曲がって形成されている。一方、抜止め部Ｘは、殻部５ｃから上方に若干突出して形成されており、その側面Ｘ１は、僅かに下向きの傾斜面となっている。こうして、これら抜止め部５ｆ、Ｘが、コンクリート体１ａ内に埋め込まれることで、案内部材５は、コンクリート体１ａから抜け落ちるのが防止される。
【００２０】
また、案内部材５は、図２および図４に示すように、この案内部材５を、コンクリート体１ａを形成する生コンクリートＮが打設される型枠７に固定するための、固定手段Ｋ、Ｋを備えている。この固定手段Ｋは、殻部５ｃから、配線通路５ｂ内を下方に延びる筒部５ｇと、その筒部５ｇ内に保持される釘等の固着具５ｈとからなっている。そして、この固着具５ｈが、筒部５ｇ内に保持されたまま型枠７に打ち込まれることで、案内部材５は、型枠７に固定される。その後、生コンクリートＮが打設されて、コンクリート体１ａが形成される（図４参照）。そして、型枠７が取り外される際に、筒部５ｇが根元から折り取られることで、この筒部５ｇと固着具５ｈは、案内部材５から取り除かれる（図５参照）。
【００２１】
ここで、間仕切壁３によって区画される隣接する空間Ｓ、Ｓの間で、配線材４を案内する案内方法について説明する。この案内方法は、間仕切壁３の立設と、配線材４の配設との、順序を前後させることで、二つの方法が考えられ、以下に順を追って説明する。
【００２２】
第一の案内方法は、初めに、図６に示すように、天井１に窪むようにして形成された配線通路５ｂの各開口部５ａ、５ａを隔てるように、天井１の下方に、間仕切壁３を立設する。その後、図１に示すように、配線通路５ｂに、各開口部５ａ、５ａを通るようにして配線材４を収容する。このとき、配線材４を、線状材５ｅ、５ｅによって結び止めてもよいが、結び止めることなく、間仕切壁３の上面に載せるようにしてもよい。
【００２３】
第二の案内方法は、初めに、図７に示すように、天井１に窪むようにして形成された配線通路５ｂに、その各開口部５ａ、５ａを通るようにして配線材４を収容する。このとき、配線材４を、線状材５ｅ、５ｅによって結び止めることで、この配線材４を、配線通路５ｂ内に保持する。その後、図１に示すように、各開口部５ａ、５ａを隔てるように、天井１の下方に、間仕切壁３を立設する。
【００２４】
次に、以上の構成からなる、案内部材５、案内構造６および案内方法の作用効果について説明する。建物の天井１を構成するコンクリート体１ａに埋設される案内部材５の配線通路５ｂの各開口部５ａ、５ａは、間仕切壁３によって区画される隣接する空間Ｓ、Ｓに開口している。したがって、配線材４が、配線通路５ｂの各開口部５ａ、５ａを通るようにして、その配線通路５ｂに収容されることで、この配線材４は、間仕切壁３によって区画される隣接する空間Ｓ、Ｓに渡って配設される。このようにして、配線材４を、コンクリート体１ａに埋設される案内部材５の配線通路５ｂに収容することで、間仕切壁３に貫通孔を明けることなく、配線材４を、前記隣接する空間Ｓ、Ｓに渡って配設することができる。
【００２５】
また、例えば、この案内部材５の配線通路５ｂに配線材４を収容した後に、間仕切壁３を立設する場合には、その間仕切壁３を立設する前に、配線材４を線状材５ｅ（保持手段Ｈ）によって配線通路５ｂ内に保持することができる。こうすることで、間仕切壁３を立設する際に、配線材４が邪魔になることがない。また、線状材５ｅに近接して抜止め部５ｆが設けられており、線状材５ｅに配線材４の重量等が作用したときに、殻部５ｃにおける線状材５ｅが止められた部分が、コンクリート体１ａから剥離するのを、この抜止め部５ｆによって防止することができる。
【００２６】
なお、本発明は、上述した実施の形態に限定されるわけではなく、その他種々の変更が可能である。例えば、建物の天井は、二重天井における上側の天井１でなくとも、下側の天井が無い、スラブがむき出しの天井であってもよい。
【００２７】
また、保持手段Ｈは、線状材５ｅからならなくとも、図８に示すように、殻部５ｃまたは鍔部５ｄの向かい合う側面に渡される板状材等の保持部材Ｈ１からなっていてもよい。このとき、保持部材Ｈ１は、殻部５ｃや鍔部５ｄと一体に形成されていてもよいが、殻部５ｃまたは鍔部５ｄに着脱可能に取り付けられていてもよい。
【００２８】
また、天井１に窪むようにして形成された配線通路５ｂは、天井１を構成するコンクリート体１ａに埋設される案内部材５によって形成されているが、この案内部材５を使用することなく、コンクリート体１ａに直接形成されていてもよい。
【００２９】
また、以上において、配線・配管材は、電力線等の配線材４でなくとも、給水管、給湯管、ガス管等の配管材であってもよく、この場合には、配線・配管通路としての配線通路５ｂは、配管通路となる。
【００３０】
【発明の効果】
以上、詳述したところから明らかなように、この発明に係る配線・配管材の、案内部材、案内構造および案内方法によれば、次の効果がある。
【００３１】
請求項１もしくは２に記載された配線・配管材の案内部材、または請求項５に記載された配線・配管材の案内構造によれば、配線・配管材を、天井を構成するコンクリート体に埋設される案内部材の配線・配管通路に収容することで、区画体に貫通孔を明けることなく、配線・配管材を、区画体によって区画される隣接する空間に渡って配設することができる。
【００３２】
また、請求項３または４に記載された配線・配管材の案内部材によれば、加えて、案内部材の配線・配管通路に配線・配管材を収容した後に、区画体を立設する場合に、配線・配管材が邪魔になることがない。
【００３３】
また、請求項６または７に記載された配線・配管材の案内方法によれば、配線・配管材を、天井に窪むようにして形成された配線・配管通路に収容することで、区画体に貫通孔を明けることなく、配線・配管材を、区画体によって区画される隣接する空間に渡って配設することができる。
【図面の簡単な説明】
【図１】  この発明に係る、配線・配管材の、案内部材、案内構造および案内方法の一実施の形態の、断面図である。
【図２】  同じく、案内部材の、一部を破断した正面図である。
【図３】  同じく、案内部材の斜視図である。
【図４】  同じく、コンクリート体の形成過程を示す断面図である。
【図５】  同じく、型枠が取り外されて、コンクリート体が形成された状態を示す断面図である。
【図６】  同じく、配線材の案内方法を示す断面図である。
【図７】  同じく、他の、配線材の案内方法を示す断面図である。
【図８】  この発明に係る、配線・配管材の、案内部材、案内構造および案内方法の他の実施の形態の、断面図である。
【符号の説明】
１  上側の天井（天井）              １ａ  コンクリート体
３  間仕切壁（区画体）              ４  配線材（配線・配管材）
５  案内部材                        ５ａ  開口部
５ｂ  配線通路（配線・配管通路）    ５ｅ  線状材
６  案内構造
Ｈ  保持手段                        Ｓ  空間
【図１】
0004528430.tif 000002
【図２】
0004528430.tif 000003
【図３】
0004528430.tif 000004
【図４】
0004528430.tif 000005
【図５】
0004528430.tif 000006
【図６】
0004528430.tif 000007
【図７】
0004528430.tif 000008
【図８】
0004528430.tif 000009